(57)【要約】【課題】  照明装置の目標発光量が高い場合において、照明装置から出力される光の色温度の変化を抑制することが可能な照明装置を提供する。【解決手段】  本発明の照明装置は、青色の光を発する青色ＬＥＤ１１２と、紫外光を発する紫外ＬＥＤ１１３と、青色ＬＥＤ１１２から青色の光を照射された場合に、照射された青色の光を透過して出力し、赤色の光を出力し、紫外ＬＥＤ１１３から紫外光を照射された場合に、青色の光と、赤色の光とを有する光を出力する量子ドットフィルム１１４と、量子ドットフィルム１１４から出力される光の発光量の目標値が所定の値よりも大きい場合に、紫外ＬＥＤ１１３の発光量の青色ＬＥＤ１１２の発光量に対する比が、そうでない場合よりも大きくなるように、青色ＬＥＤ１１２の発光と、紫外ＬＥＤ１１３の発光とを制御する照明制御基板１２０と、を備えることを特徴とする。【選択図】  図４
2017139073.tif 000002
【特許請求の範囲】
【請求項１】
第１の波長をピーク波長とする第１の光を発する第１の光源と、
前記第１の波長と異なる第２の波長をピーク波長とする第２の光を発する第２の光源と、
前記第１の光源から前記第１の光を照射された場合に、照射された前記第１の光を透過して出力し、かつ前記第１の波長と異なる第３の波長をピーク波長とする第３の光を出力し、前記第２の光源から前記第２の光を照射された場合に、前記第１の光と、前記第３の光を出力する波長変換手段と、
前記波長変換手段から出力される光の発光量の目標値が所定の値よりも大きい場合に、前記第２の光源の発光量の前記第１の光源の発光量に対する比が、そうでない場合よりも大きくなるように、前記第１の光源の発光と、前記第２の光源の発光とを制御する制御手段と、
を備えることを特徴とする照明装置。
【請求項２】
前記第２の波長は、前記第１の波長よりも短いことを特徴とする請求項１に記載の照明装置。
【請求項３】
前記第１の波長は、青色の光のスペクトルに対応する波長であり、
前記第２の波長は、紫外光のスペクトルに対応する波長であることを特徴とする請求項１または請求項２に記載の照明装置。
【請求項４】
前記波長変換手段は、前記第１の光が照射された場合に、照射された前記第１の光の一部を透過し、前記第３の光と、前記第１の波長、前記第２の波長、および前記第３の波長と異なる第４の波長をピーク波長とする第４の光とを出力し、前記第２の光が照射された場合に、前記第１の光と、前記第３の光と、前記第４の光とを出力することを特徴とする請求項１乃至請求項３のいずれか１項に記載の照明装置。
【請求項５】
前記第１の光は、青色の光であり、
前記第２の光は、紫外光であり、
前記第３の光は、赤色の光であり、
前記第４の光は、緑色の光であり、
前記波長変換手段は、前記第１の光もしくは前記第２の光が照射された場合に、白色光を出力することを特徴とする請求項４に記載の照明装置。
【請求項６】
前記制御手段は、前記第１の光源の電流値を制御することにより、前記第１の光源の発光を制御し、前記第２の光源の電流値を制御することにより、前記第２の光源の発光を制御することを特徴とする請求項１乃至請求項５のいずれか１項に記載の照明装置。
【請求項７】
前記第１の光源と、前記第２の光源とはそれぞれＬＥＤ光源であることを特徴とする請求項１乃至請求項６のいずれか１項に記載の照明装置。
【請求項８】
前記制御手段は、前記波長変換手段から出力される光の発光量が所定の値よりも大きい期間が、所定の期間よりも大きい場合に、前記第２の光源の発光量の前記第１の光源の発光量に対する比が、そうでない場合よりも大きくなるように、前記第１の光源の発光と、前記第２の光源の発光とを制御することを特徴とする請求項１乃至請求項７のいずれか１項に記載の照明装置。
【請求項９】
前記第１の光源と、前記第２の光源と、前記波長変換手段を備える複数の照明ブロックを備え、
前記制御手段は、前記所定の値よりも大きい発光量の光を出力する第１の照明ブロックの数が所定の数よりも多い場合に、前記第１の照明ブロックにおいて、前記第２の光源の発光量の前記第１の光源の発光量に対する比が、そうでない場合よりも小さくなるように、前記第１の照明ブロックの前記第１の光源の発光と、前記第１の照明ブロックの前記第２の光源の発光とを制御することを特徴とする請求項１乃至請求項８のいずれか１項に記載の照明装置。
【請求項１０】
入力された入力画像に基づいて、前記照明装置から発せられる光を透過して画像を表示する表示手段と、
請求項１乃至請求項９のいずれか１項に記載の前記照明装置とを備える画像表示装置。
【請求項１１】
前記入力画像の明るさを示す代表輝度値に基づいて、前記波長変換手段から出力する光の目標発光量を決定する発光量決定手段を備え、
前記制御手段は、前記目標発光量に基づいて、前記第１の光源の発光と前記第２の光源の発光とを制御することを特徴とする請求項１０に記載の画像表示装置。
【請求項１２】
前記第１の光源から発せられる光に基づいて、前記波長変換手段が変換した光の色温度と、前記第２の光源から発せられる光に基づいて、前記波長変換手段が変換した光の色温度と、前記第１の光源の発光量の前記第２の光源の発光量に対する比とに基づいて、前記入力画像を補正する画像補正手段を備えることを特徴とする請求項１０または請求項１１に記載の画像表示装置。
【請求項１３】
第１の波長をピーク波長とする第１の光を発する第１の光源と、前記第１の波長と異なる第２の波長をピーク波長とする第２の光を発する第２の光源と、前記第１の光源から前記第１の光を照射された場合に、照射された前記第１の光を透過し、前記第１の波長と前記第２の波長と異なる第３の波長をピーク波長とする第３の光を出力し、前記第２の光源から前記第２の光を照射された場合に、前記第１の光と、前記第３の光を出力する波長変換手段と、を備える照明装置の制御方法であって、
前記波長変換手段から出力される光の発光量が所定の値よりも大きい場合に、前記第２の光源の発光量の前記第１の光源の発光量に対する比が、そうでない場合よりも大きくなるように、前記第１の光源の発光と、前記第２の光源の発光とを制御する制御工程を備えることを特徴とする照明装置の制御方法。
【発明の詳細な説明】
【技術分野】
【０００１】
本発明は、波長変換手段を備える照明装置とその制御方法に関する。
【背景技術】
【０００２】
液晶表示装置等に用いられる照明装置（バックライト）に、一次光源から照射された波長の光を吸収して、照射された光の波長と異なる波長の光を発する波長変換部材を用いた照明装置がある。
【０００３】
波長変換部材は例えば、所定の波長よりも短い波長の光が照射された場合に、照射された光によって励起され、所定の波長よりも長い波長の光を発する量子ドットを含むフィルム状の部材（量子ドットフィルム）等である。例えば、ある量子ドットフィルムに対して、青色の光を照射すると、量子ドットフィルムに含まれる量子ドットにより光が赤色および緑色の光に変換され、出力される。これらの赤色の光および緑色の光と、量子ドットフィルムを透過する青色の光とによって、量子ドットフィルムから白色光が出力される。一次光源から波長変換部材に照射される光の発光量に応じて、波長変換部材から出力される光の発光量が調整される。
【０００４】
特許文献１には、複数の一次光源から照射された光を異なる波長の光に変換して再放射する再放射部材を備えるディスプレイであって、複数の一次光源のうち、いずれかの一次光源が劣化した場合に、劣化した一次光源の発光量を増大させる技術が開示されている。
【先行技術文献】
【特許文献】
【０００５】
【特許文献１】特開２００８−１１２１５４号公報
【発明の概要】
【発明が解決しようとする課題】
【０００６】
光源から発せられる光の波長が、光源の温度によって変わることがある。例えば、青色の光を発する青色ＬＥＤ光源は、青色ＬＥＤ光源の温度が上がると、発光スペクトルが長波長側にシフトすることがある。
【０００７】
一次光源に青色ＬＥＤ光源を用いた照明装置では、照明装置に設定される目標発光量が高い場合に、青色ＬＥＤ光源の負荷が増加し、青色ＬＥＤ光源の温度が上昇する。このとき、青色ＬＥＤ光源から発せられる光の波長が長波長側に変化する。波長変換部材が量子ドットフィルムであった場合、量子ドットフィルムを透過する青色の光の波長が変わるため、照明装置から出力される光の色温度が変わってしまうことがある。
【０００８】
そこで、本発明は、上記課題に鑑みて、波長変換部材を用いた照明装置であって、照明装置の目標発光量が高い場合においても、照明装置から出力される光の色温度の変化を抑制することが可能な照明装置を提供することを目的とする。
【課題を解決するための手段】
【０００９】
上述した課題を解決するために、本発明にかかる照明装置は、第１の波長をピーク波長とする第１の光を発する第１の光源と、前記第１の波長と異なる第２の波長をピーク波長とする第２の光を発する第２の光源と、前記第１の光源から前記第１の光を照射された場合に、照射された前記第１の光を透過し、前記第１の波長と前記第２の波長と異なる第３の波長をピーク波長とする第３の光を出力し、前記第２の光源から前記第２の光を照射された場合に、前記第１の光と、前記第３の光を出力する波長変換手段と、前記波長変換手段から出力される光の発光量が所定の値よりも大きい場合に、前記第２の光源の発光量の前記第１の光源の発光量に対する比が、そうでない場合よりも大きくなるように、前記第１の光源の発光と、前記第２の光源の発光とを制御する制御手段と、を備えることを特徴とする。
【発明の効果】
【００１０】
波長変換部材を用いた照明装置であって、照明装置の目標発光量が高い場合においても、照明装置から出力される光の色温度の変化を抑制することが可能となる。
【図面の簡単な説明】
【００１１】
【図１】第１の実施例における照明装置を用いた画像表示装置１の分解斜視図である。
【図２】照明ユニットの模式図である。
【図３】照明ブロックの断面図である。
【図４】照明装置の機能ブロックを示したブロック図である。
【図５】目標発光量が所定の値よりも低い照明ブロックにおける出力光のプロファイルを示した模式図である。
【図６】目標発光量が所定の値よりも高い照明ブロックにおける出力光のプロファイルを示した第１の模式図である。
【図７】目標発光量が所定の値よりも高い照明ブロックにおける出力光のプロファイルを示した第２の模式図である。
【図８】量子ドットフィルムに入射する励起光のピーク波長に対して、量子ドットフィルムから出力される赤色（Ｒｅｄ，Ｒ）、緑色（Ｇｒｅｅｎ，Ｇ）、および青色（Ｂｌｕｅ、Ｂ）の出力比率を示した図である。
【図９】分割領域を照明する照明ブロックを配列することで、局所的に照明輝度を制御できる照明装置を示した模式図である。
【図１０】分割領域を照明する照明ブロックを重ねて配列した照明装置において、下層の照明ブロックには量子ドットフィルムを設置しない場合の照明装置を示した模式図である。
【図１１】図９、および図１０に示した照明装置の分割領域毎の照明輝度を示した模式図である。
【図１２】第２の実施例に係る照明装置の機能構成の一例を示すブロック図である。
【図１３】第３の実施例に係る照明装置の機能構成の一例を示すブロック図である。
【図１４】第４の実施例に係る表示装置の機能構成の一例を示す機能ブロック図である。
【発明を実施するための形態】
【００１２】
以下、図面を用いて本発明の実施の形態について説明する。なお、本発明の技術的範囲は、特許請求の範囲によって確定され、以下に例示する実施例によって限定されるものではない。また、実施例の中で説明されている特徴の組み合わせすべてが本発明に必須とは限らない。本明細書および図面に記載の内容は例示であって、本発明を制限するものと見なすべきではない。本発明の趣旨に基づき種々の変形（各実施例の有機的な組合せを含む）が可能であり、それらを本発明の範囲から除外するものではない。
【００１３】
（第１の実施例）
図１は、第１の実施例における照明装置１００を用いた画像表示装置１の分解斜視図である。画像表示装置１は、液晶パネル１０、表示制御基板２０、メモリ３０、照明装置１１００を備える。
【００１４】
液晶パネル１０は、個別に透過率を制御することが可能な複数の液晶素子を有する透過型の表示パネルである。液晶パネル１０は、表示制御基板２０により、各液晶素子の透過率を制御される。後述する照明装置１００から液晶パネル１０に照射された光が、各液晶素子を透過して、液晶パネル１０の画面に画像が表示される。
【００１５】
表示制御基板２０は、入力画像に基づき、液晶パネル１０の各液晶素子の透過率を制御する制御基板である。表示制御基板２０は、複数の電子回路、Ｃｅｎｔｒａｌ  Ｐｒｏｃｅｓｓｉｎｇ  Ｕｎｉｔ（ＣＰＵ）や、Ｍｉｃｒｏ  Ｐｒｏｃｅｓｓｉｎｇ  Ｕｎｉｔ（ＭＰＵ）等の演算処理装置、およびメモリ等を備える。
【００１６】
メモリ３０は、表示制御基板２０や、照明装置１００が備える照明制御基板１２０に接続し、それぞれの基板が制御に用いるプログラムやパラメータ等を記憶する。メモリ３０は、ハードディスクのような不揮発性の記憶媒体や、半導体メモリのような揮発性の記憶媒体である。
【００１７】
照明装置１００は、液晶パネル１０に光を照射するバックライトユニットである。照明装置１００は、照明ユニット１１０と、照明制御基板１２０とを備える。
【００１８】
図２は、照明ユニット１１０の模式図である。照明ユニット１１０は、個別に発光量を制御可能な複数の照明ブロック１１１を有する。第１の実施例において、照明ユニット１１０は、複数の照明ブロック１１１が２次元的に配置されている。
【００１９】
図３は、照明ブロック１１１が光を照射する方向における照明ブロック１１１の断面図である。照明ブロック１１１は、青色ＬＥＤ１１２、紫外ＬＥＤ１１３、量子ドットフィルム１１４、および反射部材１１５を備える。
【００２０】
青色ＬＥＤ１１２は、ピーク波長λ（Ｂ）を有する青色の光を発する一次光源である。紫外ＬＥＤ１１３は、ピーク波長λ（ＵＶ）を有する紫外光を発する一次光源である。ピーク波長は、各光源から出力される光のうち、もっとも発光量が大きい波長を示す指標である。また、ピーク波長λ（ＵＶ）は、ピーク波長λ（Ｂ）よりも短い。
【００２１】
青色ＬＥＤ１１２と紫外ＬＥＤ１１３とは、照明ブロック１１１の底面側に配置され、後述する量子ドットフィルム１１４へ光を照射する。なお、照明ブロック１１１において、底面側は、画像表示装置１における背面側と同方向であり、上面側は、画像表示装置１における前面側と同方向であるとする。
【００２２】
量子ドットフィルム１１４は、青色ＬＥＤ１１２および紫外ＬＥＤ１１３に対して上面側に配置され、照射された励起光に基づいて所定の波長を有する光を出力する波長変換部材である。量子ドットフィルム１１４は、励起光が照射された場合に赤色の光を出力する赤色量子ドットと、励起光が照射された場合に緑色の光を出力する緑色量子ドットと、励起光が照射された場合に青色の光を出力する青色量子ドットとを含む。
【００２３】
第１の実施例において、量子ドットフィルム１１４は、青色ＬＥＤ１１２、および、紫外ＬＥＤ１１３から照射された光を励起光とする。量子ドットフィルム１１４に青色ＬＥＤ１１２から光が照射された場合、量子ドットフィルム１１４は、赤色量子ドットと、緑色量子ドットとが励起されて、それぞれ赤色の光と、緑色の光を出力する。また、量子ドットフィルム１１４は、青色ＬＥＤ１１２から照射された光の一部を透過して出力する。したがって、青色ＬＥＤ１１２から光が照射された場合、量子ドットフィルム１１４は、白色光を出力する。
【００２４】
また、量子ドットフィルム１１４に紫外ＬＥＤ１１３から光が照射された場合、量子ドットフィルム１１４は、赤色量子ドットと、緑色量子ドットと、青色量子ドットとが励起されて、それぞれ赤色の光と、緑色の光と、青色の光とを出力する。したがって、紫外ＬＥＤ１１３から光が照射された場合、量子ドットフィルム１１４は、白色光を出力する。
【００２５】
ここで、量子ドットフィルム１１４は、青色ＬＥＤ１１２から光を照射した場合と、紫外ＬＥＤ１１３から光を照射した場合とで、出力される白色光における青色の光の割合が同等程度になるように、量子ドットフィルム１１４を設計する。より具体的には、量子ドットフィルム１１４の透過率や、量子ドットフィルム１１４に含まれる青色量子ドット光源の密度、粒径等を調整する。
【００２６】
反射部材１１５は、青色ＬＥＤ１１２および紫外ＬＥＤ１１３から発せられた光を、量子ドットフィルム１１４に反射させる部材である。反射部材１１５は、照明ブロック１１１の上面側に開口を有する略箱形の部材である。反射部材１１５は、少なくとも略箱形の内側に光を反射する特性を有する部材を備える。
【００２７】
照明ブロック１１１の底面側の反射部材１１５に、青色ＬＥＤ１１２と紫外ＬＥＤ１１３とが配置されている。反射部材１１５の上面側に設けられた開口に、量子ドットフィルム１１４が設置される。各光源から出力された光は、直接、もしくは反射部材１１５によって反射されて、量子ドットフィルム１１４に到達する。
【００２８】
発熱する各光源と量子ドットフィルム１１４とを離して設置することにより、量子ドットフィルム１１４の温度変化を抑制する。即ち、各量子ドットの発光特性の変化を抑制する。
【００２９】
照明制御基板１２０は、照明ユニット１１０から出力される光の発光量を制御する駆動制御基板である。照明制御基板１２０は、各照明ブロック１１１から出力される光の発光量を制御する。また、照明制御基板１２０は、各照明ブロック１１１に含まれる青色ＬＥＤ１１２と紫外ＬＥＤ１１３とのそれぞれの駆動電流量を制御し、青色ＬＥＤ１１２と紫外ＬＥＤ１１３とから出力される光の発光量を制御する。
【００３０】
また、照明制御基板１２０は、各照明ブロック１１１から出力される光の発光量の目標値が、所定の値よりも大きい場合に、当該照明ブロック１１１から出力される青色の光の発光量の当該照明ブロック１１１から出力される紫外光の発光量に対する比が、そうでない場合よりも小さくなるように、各光源の発光量を制御する。以下で、照明制御基板１２０の具体的な制御方法について説明する。
【００３１】
量子ドットフィルム１１４に入射する励起光を出力する青色ＬＥＤ１１２と紫外ＬＥＤ１１３の発光量に応じて、量子ドットフィルム１１４から光が出力される。また、青色ＬＥＤ１１２と紫外ＬＥＤ１１３とは、青色ＬＥＤ１１２と紫外ＬＥＤ１１３とに流れる駆動電流量に応じて、光を出力する。したがって、照明制御基板１２０は、青色ＬＥＤ１１２と紫外ＬＥＤ１１３とに流れる駆動電流量が所定の電流値よりも大きい場合に、当該照明ブロック１１１から出力される青色の光の発光量の当該照明ブロック１１１から出力される紫外光の発光量に対する比が、そうでない場合よりも小さくなるように、各光源の発光量を制御するとも言える。
【００３２】
図４は、照明装置１００の機能ブロックを示したブロック図である。照明制御基板１２０は、入力部１２１、代表輝度取得部１２２、目標発光量決定部１２３、電流決定部１２４、混合比率決定部１２５、制御値算出部１２６、および発光制御部１２７を備える。
【００３３】
入力部１２１は、入力画像を取得する入力インターフェースである。入力部１２１は、入力された画像を、代表輝度取得部１２２に出力する。入力画像は、マトリクス状に配置された各画素に対して、それぞれ階調値を指定したデータである。第１の実施例において、入力された画像の各画素の階調値は、０〜２５５の８ビットデータで記述される。なお、入力された画像の符号化方式や表示ビット数等は、上述の例に限られない。また、入力部１２１は、入力された画像に所定の階調変換等の処理を施した画像を代表輝度取得部１２２に出力してもよい。
【００３４】
代表輝度取得部１２２は、各照明ブロック１１１の発光量を決定するために用いる代表輝度値を、各照明ブロック１１１に対応する入力画像の領域毎に取得する。代表輝度取得部１２２は、入力画像を、各照明ブロック１１１に対応する液晶パネル１０の表示領域に表示される画像領域に分割する。代表輝度取得部１２２は、各照明ブロック１１１に対応する入力画像の領域毎に代表輝度値を取得し、各領域の位置および代表輝度値を目標発光量決定部１２３に出力する。第１の実施例において、代表輝度値は、画像の最大階調値である。代表輝度値は、画像の明るさ（輝度）を示すパラメータである。代表輝度値は、画像の平均階調値であってもよい。また、画像が各画素に対して表示輝度を指定している場合は、代表輝度値は最大輝度、もしくは平均輝度であってもよい。
【００３５】
目標発光量決定部１２３は、代表輝度取得部１２２から取得した代表輝度値を用いて、各照明ブロック１１１の目標発光量を決定する。目標発光量決定部１２３は、各画像領域の代表輝度値を用いて、対応する照明ブロック１１１の目標発光量を決定する。目標発光量決定部１２３は、メモリ３０から読み出した代表輝度値と目標発光量とを関連付けた目標発光量情報と、各画像領域の代表輝度値とを用いて対応する照明ブロック１１１の目標発光量を決定する。目標発光量決定部１２３は、決定した各照明ブロック１１１の目標発光量を、電流決定部１２４と制御値算出部１２６とに出力する。
【００３６】
電流決定部１２４は、各照明ブロック１１１の目標発光量を用いて、各照明ブロック１１１の各光源を駆動する駆動電流値を決定する。電流決定部１２４は、目標発光量が所定の値よりも大きい照明ブロック１１１に対して、駆動電流値を高輝度用の電流値とし、目標発光量が所定の値以下である照明ブロック１１１に対して、駆動電流値を低輝度用の電流値とする。高輝度用の電流値は、低輝度用の電流値よりも大きい。所定の値は、低輝度用の電流値で駆動した場合に、発光可能な最大の発光量である。低輝度用の電流値は、後述するパルス幅変調駆動において最大のパルス幅で駆動した場合に、照明ブロック１１１の温度上昇が、許容可能な昇温量となる電流値である。例えば、所定の値は、照明ブロック１１１の最大の発光量の１／３程度である。
【００３７】
なお、電流決定部１２４は、目標輝度値が大きいほど、駆動電流値が大きくなるように、駆動電流を決定することも可能である。電流決定部１２４は、各照明ブロック１１１の駆動電流値を、混合比率決定部１２５と制御値算出部１２６とに出力する。
【００３８】
混合比率決定部１２５は、電流決定部１２４より取得した各照明ブロック１１１の駆動電流値に基づいて、青色ＬＥＤ１１２および紫外ＬＥＤ１１３それぞれの発光比率を決定する。混合比率決定部１２５は、各照明ブロック１１１の青色ＬＥＤ１１２と紫外ＬＥＤ１１３との発光比率を制御値算出部１２６に出力する。
【００３９】
第１の実施例において、発光比率は、青色ＬＥＤ１１２と紫外ＬＥＤ１１３との発光量の合計に対する各光源から出力される光の発光量の比率である。なお、発光比率は、青色ＬＥＤ１１２から出力される光の発光量に対する紫外ＬＥＤ１１３から出力される光の発光量の比率であってもよい。混合比率決定部１２５は、ある照明ブロック１１１の駆動電流値が所定の電流値よりも大きい場合に、当該照明ブロック１１１の紫外ＬＥＤ１１３の発光比率が、そうでない場合よりも大きくなるように、各発光比率を決定する。
【００４０】
制御値算出部１２６は、目標発光量と、駆動電流値と、青色ＬＥＤ１１２および紫外ＬＥＤ１１３との発光比率と、に基づいて、各照明ブロック１１１の青色ＬＥＤ１１２および紫外ＬＥＤ１１３の発光量を制御する制御値を決定する。制御値算出部１２６は、各照明ブロック１１１の制御値を、発光制御部１２７に出力する。
【００４１】
青色ＬＥＤ１１２および紫外ＬＥＤ１１３の発光量をパルス幅変調（Ｐｕｌｓｅ  Ｗｉｄｔｈ  Ｍｏｄｕｌａｔｉｏｎ：ＰＷＭ）により制御する場合、制御値算出部１２６は、青色ＬＥＤ１１２および紫外ＬＥＤ１１３それぞれに対して、パルス幅の値（デューティー比、ＰＷＭ制御値）を決定する。つまり、制御値算出部１２６は、各照明ブロック１１１ごとに、青色ＬＥＤ１１２を制御するＰＷＭ制御値と、紫外ＬＥＤ１１３を制御するＰＷＭ制御値とを決定する。
【００４２】
なお、制御値算出部１２６は、目標発光量決定部１２３が決定した目標発光量に基づいた発光量の光が出力されるように、青色ＬＥＤ１１２および紫外ＬＥＤ１１３の発光量を制御する制御値を決定する。例えば、制御値算出部１２６は、青色ＬＥＤ１１２と紫外ＬＥＤ１１３のうち一方のＬＥＤの発光量を下げた場合、低減した発光量の分だけ、他方のＬＥＤの発光量を上げて、照明ブロック１１１の発光量の変化を抑制する。また、制御値算出部１２６は、青色ＬＥＤ１１２および紫外ＬＥＤ１１３それぞれの光に対する量子ドットフィルム１１４の光の変換効率に応じてＰＷＭ制御値を補正することも可能である。
【００４３】
ＬＥＤ光源は、ＬＥＤに流す電流値を大きくするとＬＥＤの発光効率が低下することがある。従って、ＰＷＭ制御値と、量子ドットフィルム１１４から出力される光の発光量との関係は、駆動電流値毎に保持するのが望ましい。本実施例においては、高輝度用の電流値と低輝度用の電流値とのそれぞれに対応する、ＰＷＭ制御値と量子ドットフィルム１１４から出力される光の発光量との関係を示すテーブルデータが、メモリ３０に保持される。制御値算出部１２６は、メモリ３０からテーブルデータを読み出して、ＰＷＭ制御値を決定する。
【００４４】
発光制御部１２７は、制御値算出部１２６が決定した制御値を用いて、各照明ブロック１１１の青色ＬＥＤ１１２と、紫外ＬＥＤ１１３との発光を制御する。
【００４５】
図５は、目標発光量が所定の値よりも低い照明ブロック１１１における、青色ＬＥＤ１１２と紫外ＬＥＤ１１３とから出力される光のプロファイルと、量子ドットフィルム１１４から出力される光のプロファイルと、を示した模式図である。図５（ａ）は、目標発光量決定部１２３が決定した目標発光量が所定の値よりも低い照明ブロック１１１において、青色ＬＥＤ１１２と紫外ＬＥＤ１１３とから出力される光のプロファイルを示した模式図である。
【００４６】
目標発光量が所定の値よりも低い場合、電流決定部１２４は、照明ブロック１１１の駆動電流値を低輝度用の電流値と決定する。混合比率決定部１２５は、青色ＬＥＤ１１２の発光比率を０．８とし、紫外ＬＥＤ１１３の発光比率を０．２とする。言い換えると、紫外ＬＥＤ１１３から出力される光の発光量の青色ＬＥＤ１１２から出力される光の発光量に対する比率は０．２５であるとも言える。
【００４７】
制御値算出部１２６は、各光源の発光比率と、電流決定部１２４が決定した低輝度用の電流値とに基づいて、各光源の制御値を決定する。発光制御部１２７は、各光源の制御値に基づいて、各光源の発光を制御する。青色ＬＥＤ１１２から、ピーク波長λ（Ｂ）を有する青色の光が出力され、また、紫外ＬＥＤ１１３から、ピーク波長λ（ＵＶ）を有する紫外光が出力される。
【００４８】
図５（ｂ）は、各光源から出力された光が量子ドットフィルム１１４に照射された場合に、量子ドットフィルム１１４から出力される光のプロファイルを示した模式図である。
【００４９】
紫外ＬＥＤ１１３から照射された紫外光によって、量子ドットフィルム１１４から、ピーク波長λ（Ｒ）を有する赤色の光と、ピーク波長λ（Ｇ）を有する緑色の光と、ピーク波長λ（Ｂ）を有する青色の光とが出力される。また、青色ＬＥＤ１１２から照射された青色の光によって、量子ドットフィルム１１４から、ピーク波長λ（Ｒ）を有する赤色の光と、ピーク波長λ（Ｇ）を有する緑色の光と、が出力される。さらに、青色ＬＥＤ１１２から照射された青色の光の一部が透過することにより、量子ドットフィルム１１４から、ピーク波長λ（Ｂ）を有する青色の光が出力される。
【００５０】
従って、量子ドットフィルム１１４から、ピーク波長λ（Ｒ）を有する赤色の光と、ピーク波長λ（Ｇ）を有する緑色の光と、ピーク波長λ（Ｂ）を有する青色の光とからなる白色光が出力される。
【００５１】
図６は、目標発光量が所定の値よりも高い照明ブロック１１１における、青色ＬＥＤ１１２と紫外ＬＥＤ１１３とから出力される光のプロファイルと、量子ドットフィルム１１４から出力される光のプロファイルと、を示した模式図である。図６（ａ）は、目標発光量決定部１２３が決定した目標発光量が所定の値以上である照明ブロック１１１において、青色ＬＥＤ１１２と紫外ＬＥＤ１１３とから出力される光のプロファイルを示した模式図である。
【００５２】
目標発光量が所定の値よりも高い場合、電流決定部１２４は、照明ブロック１１１の駆動電流値を高輝度用の電流値と決定する。混合比率決定部１２５は、青色ＬＥＤ１１２の発光比率を０．１３とし、紫外ＬＥＤ１１３の発光比率を０．８７とする。言い換えると、紫外ＬＥＤ１１３から出力される光の発光量の青色ＬＥＤ１１２から出力される光の発光量に対する比率は６．５であるともいえる。従って、電流決定部１２４が決定した照明ブロック１１１の駆動電流値が高輝度用の電流値の場合、紫外ＬＥＤ１１３の発光比率は、照明ブロック１１１の駆動電流値が低輝度用の電流値である場合よりも高い。
【００５３】
制御値算出部１２６は、各光源の発光比率と、電流決定部１２４が決定した高輝度用の電流値とに基づいて、各光源の制御値を決定する。発光制御部１２７は、各光源の制御値に基づいて、各光源の発光を制御する。青色ＬＥＤ１１２から、ピーク波長λ（Ｂ）を有する青色の光が出力され、紫外ＬＥＤ１１３から、ピーク波長λ（ＵＶ）を有する紫外光が出力される。
【００５４】
このとき、青色ＬＥＤ１１２および紫外ＬＥＤ１１３から出力される発光量の合計は、図５（ａ）に示した目標発光量が所定の値よりも低い場合に、青色ＬＥＤ１１２および紫外ＬＥＤ１１３から出力される発光量の合計よりも小さい。
【００５５】
図６（ｂ）は、電流決定部１２４が決定した照明ブロック１１１の駆動電流値が高輝度用の電流値の場合に、量子ドットフィルム１１４から出力される光のプロファイルを示した模式図である。
【００５６】
目標発光量が所定の値よりも低い場合と同様に、紫外ＬＥＤ１１３から照射された紫外光によって、量子ドットフィルム１１４から、ピーク波長λ（Ｒ）を有する赤色の光と、ピーク波長λ（Ｇ）を有する緑色の光と、ピーク波長λ（Ｂ）を有する青色の光とが出力される。また、青色ＬＥＤ１１２から照射された青色の光によって、量子ドットフィルム１１４から、ピーク波長λ（Ｒ）を有する赤色の光と、ピーク波長λ（Ｇ）を有する緑色の光と、が出力される。さらに、青色ＬＥＤ１１２から照射された青色の光の一部が透過することにより、量子ドットフィルム１１４から、ピーク波長λ（Ｂ）を有する青色の光が出力される。
【００５７】
照明ブロック１１１から出力される白色光の有する各色のピーク波長は、目標発光量が所定の値よりも小さい場合と同程度となる。したがって、照明ブロック１１１の駆動電流の変化による照明ブロック１１１から出力される白色光の色温度の変化が抑制される。
以下で、第１の実施例との比較のため、所定の値以上の目標発光量で、青色ＬＥＤ１１２のみを備える照明ブロック１１１を駆動した場合に、照明ブロック１１１から出力される光の発光プロファイルについて説明する。
【００５８】
図７は、目標発光量が所定の値よりも高い照明ブロック１１１において、青色ＬＥＤ１１２のみから光を出力した場合の、青色ＬＥＤ１１２から出力される光のプロファイルと、量子ドットフィルム１１４から出力される光のプロファイルとを示した模式図である。
【００５９】
図７（ａ）は、青色ＬＥＤ光源のみを備える照明ブロック１１１において、目標発光量決定部１２３が決定した目標発光量が所定の値以上である場合に、青色ＬＥＤ１１２から出力される光のプロファイルを示した模式図である。目標発光量が所定の値以上であることから、電流決定部１２４は、照明ブロック１１１の駆動電流を高輝度用の電流値と決定する。
【００６０】
制御値算出部１２６は、高輝度用の電流値に基づいて、青色ＬＥＤ光源５１０の制御値を決定する。発光制御部１２７は、青色ＬＥＤ光源５１０の制御値に基づいて、青色ＬＥＤ光源５１０の発光を制御する。
【００６１】
青色ＬＥＤ光源５１０に高輝度用の電流値が流れることにより、青色ＬＥＤ光源５１０の負荷が増加する。青色ＬＥＤ光源５１０の負荷が増加することにより、青色ＬＥＤ光源５１０の温度が上昇する。青色ＬＥＤ光源５１０の温度が上昇することによって、青色ＬＥＤ光源５１０から出力される光のピーク波長がλ（Ｂ）からλ’（Ｂ）に変化する。ここで、λ’（Ｂ）はλ（Ｂ）よりも長い。
【００６２】
図７（ｂ）は、図７（ａ）に示した各光源から出力された光が量子ドットフィルム１１４に照射された場合に、量子ドットフィルム１１４から出力される光のプロファイルを示した模式図である。
【００６３】
青色ＬＥＤ１１２から照射された青色の光によって、量子ドットフィルム１１４から、ピーク波長λ（Ｒ）を有する赤色の光と、ピーク波長λ（Ｇ）を有する緑色の光と、が出力される。さらに、青色ＬＥＤ１１２から照射された青色の光の一部が透過することにより、量子ドットフィルム１１４から、ピーク波長λ’（Ｂ）を有する青色の光が出力される。
【００６４】
従って、量子ドットフィルム１１４から、ピーク波長λ（Ｒ）を有する赤色の光と、ピーク波長λ（Ｇ）を有する緑色の光と、ピーク波長λ’（Ｂ）を有する青色の光からなる白色光が出力される。
【００６５】
照明ブロック１１１の目標発光量が低い場合、青色ＬＥＤ１１２の負荷は小さくなるため、青色ＬＥＤ１１２の温度変化によるピーク波長の変化は小さい。つまり、照明ブロック１１１の目標発光量の変化に応じて、照明ブロック１１１から出力される白色光の青色の光のピーク波長が異なる。したがって、照明ブロック１１１の目標発光量の変化に応じて、照明ブロック１１１から出力される白色光の色温度が変化してしまう。
【００６６】
第１の実施例における照明装置１００によれば、照明ブロック１１１の目標発光量が所定の値よりも大きい場合に、量子ドットフィルム１１４から出力される光のうち、透過光の影響が小さい紫外ＬＥＤ１１３から出力される光の発光比率を増加させる。これにより、一次光源の温度が上昇して、一次光源から出力される光の波長が変化しても、量子ドットフィルム１１４から出力される光の波長の変化が抑制される。したがって、量子ドットフィルム１１４から白色光が出力される場合に、出力される白色光の色温度が、目標発光量によって変化することを抑制することが可能となる。
【００６７】
また、照明ブロック１１１の目標発光量が所定の値以下である場合に、紫外ＬＥＤ１１３から出力される紫外光の発光量を低くすることにより、紫外光による照明ブロック１１１の部材への影響を低減することが可能となる。
【００６８】
また、第１の実施例における照明装置１００による別の効果について、図８を用いて説明する。図８は、量子ドットフィルム１１４に入射する励起光のピーク波長に対して、量子ドットフィルム１１４から出力される赤色（Ｒｅｄ，Ｒ）、緑色（Ｇｒｅｅｎ，Ｇ）、および青色（Ｂｌｕｅ、Ｂ）の出力比率を示した図である。出力比率は、各励起光の発光量を同一とした場合に、量子ドットフィルム１１４から出力されるＲＧＢの光の発光量比を示したものである。出力される光のＲＧＢバランスが異なると、白色光の色温度が異なることを示している。
【００６９】
量子ドットフィルム１１４は、青色ＬＥＤ１１２から光を照射した場合と、紫外ＬＥＤ１１３から光を照射した場合とで、出力される白色光の色温度が同等程度になるように設計されている。したがって、紫外ＬＥＤ１１３から発せられた紫外光によって、量子ドットフィルム１１４から出力される光のＲＧＢバランスは“１．０：１．０：１．０”である。また、青色ＬＥＤ１１２から発せられたピーク波長がλ（Ｂｌｕｅ）である青色の光によって、量子ドットフィルム１１４から出力される光のＲＧＢバランスは“１．０：１．０：１．０”である。
【００７０】
励起光が長波長になると、光子のエネルギーが小さくなる、エネルギーが小さくなると量子ドットを励起させにくくなる。つまり、量子ドット光源の発光効率が低下してしまう。例えば、図７に示すように、青色ＬＥＤ１１２から発せられる光のピーク波長が長くなることによって、励起される緑色量子ドット光源の発光効率が０．８に低下するような場合がある。その結果、ＲＧＢバランスは“１．０：０．８：１．０”となり、ＲＧＢバランスが崩れてしまう。
【００７１】
一方、紫外ＬＥＤ１１３の光は、緑色量子ドット光源を励起させるのに十分なエネルギーを有している。従って、スペクトルがシフトしたとしても、緑色量子ドット光源の発光効率を低下させない。
【００７２】
高輝度照明時に、青色ＬＥＤ１１２のみを駆動させた場合、上述のように青色ＬＥＤ１１２の温度が高温になる。このとき、青色ＬＥＤ１１２のピーク波長がλ（Ｂｌｕｅ）からλ’（Ｂｌｕｅ）にシフトし、発光スペクトルが長波長側にシフトする。従って、量子ドットフィルム１１４から出力される白色光の色温度は、低輝度照明時に出力される白色光の色温度と異なる。
【００７３】
本実施例では、高輝度照明時に青色ＬＥＤ１１２の駆動電流と紫外ＬＥＤ１１３の駆動電流との比を“０．１３：０．８７”とする。その結果として、ＲＧＢバランスは“１．０：０．９７：１．０”となり、従来例よりも、ＲＧＢバランスの崩れを防止することができる。即ち、白色照明光の色温度のずれを抑止することができる。
【００７４】
なお、第１の実施例では、照明装置１００は、複数の照明ブロック１１１を２次元的に配列して構成されているとしたが、照明装置はこれに限らない。照明装置は、１つの照明ブロック１１１で構成されていてもよい。
【００７５】
また、照明装置は、照明ブロック１１１１を垂直に並べたものと、水平に並べたものを重ねた２層構造で形成される照明装置１１００であってもよい。照明ブロック１１１１は、照明装置１１００の光の照射方向に対して垂直な方向に長い形状を有している。照明ブロック１１１１は、青色ＬＥＤ１１１２、紫外ＬＥＤ１１１３、量子ドットフィルム１１１４、反射部材１１１５、導光板１１１６とを備える。
【００７６】
図９は、分割領域を照明する照明ブロック１１１１を配列することで、局所的に照明輝度を制御できる照明装置１１００を示した模式図である。図９（ａ）は、照明ブロック１１１１の断面図を表している。
【００７７】
照明ブロック１１１１の下面に反射部材１１１５が配置され、反射部材１１１５の上部に導光板１１１６が配置される。さらに、量子ドットフィルム１１１４が、導光板１１１６の上部に配置される。青色ＬＥＤ１１１２、および紫外ＬＥＤ１１１３は、照明ブロック１１１１の端部に配置され、導光板１１１６に光を入射する。
【００７８】
導光板１１１６は下面に凹部１１１６ａが設けられている。青色ＬＥＤ１１１２、および紫外ＬＥＤ１１１３から入射し、凹部１１１６ａで反射した光が、導光板１１１６の上面から量子ドットフィルム１１１４に入射する。このように、導光板１１１６を用いて、発熱するＬＥＤ光源と量子ドットフィルムとを離して設置することにより、量子ドットフィルム１１１４の温度変化を抑制する。即ち、量子ドット光源の発光特性の変化を抑制する。
【００７９】
図９（ｂ）は、図９（ａ）に示した照明ブロック１１１１を配置した、照明装置１１００を示した模式図である。図９（ａ）に示した照明ブロック１１１１を垂直に並べたものと、水平に並べたものを重ねる構造（２層構造）をしている。２層構造の下側の層の照明ブロック１１１１の底面には反射部材が設置されているが、上側の層の照明ブロック１１１１の底面には反射部材が設置されない。
【００８０】
そのため、下層の照明ブロック１１１１の照明光は、上層に入射され、図９（ｂ）の斜線矢印で示すように上層の照明ブロック１１１１の上面から出力される。また、上層の照明ブロック１１１１の照明光は、図９（ｂ）の黒矢印で示すように上層の照明ブロック１１１１の上面から出力される。上層の照明ブロック１１１１と、下層の照明ブロック１１１１との発光をそれぞれ個別に制御することにより、局所的に照明輝度を制御することが可能となる。
【００８１】
なお、照明装置１１００は、量子ドットフィルム１１１４を設置しない照明ブロック１１１１を下層に配置してもよい。つまり、下層の照明ブロック１１１１は、白色量子ドット照明ではなく、単に、青色光および紫外光の面状照明としてもよい。図１０は、分割領域を照明する照明ブロック１１１１を重ねて配列した照明装置１１００において、下層の照明ブロック１１１１には量子ドットフィルム１１１４を設置しない場合の照明装置１１００を示した模式図である。
【００８２】
図１１は、図９、および図１０に示した照明装置１１００の分割領域毎の照明輝度を示した模式図である。図１１（ａ）は入力画像の分割領域毎の輝度特徴量を表す。図９、および図１０に示した照明装置１１００における照明ブロック１１１１は、１次元方向にしか領域分割できない。そのため、分割領域毎の輝度特徴量から、行毎の輝度特徴量と列毎の輝度特徴量を算出し、行毎、または、列毎の輝度特徴量に基づいて、照明ブロック１１１１毎の照明輝度を算出する。本実施例においては、分割領域毎の輝度特徴量の行毎の最大値、及び、列毎の最大値を算出し、当該最大値を行毎、及び、列毎の輝度特徴量とする。
【００８３】
図１１（ｂ）は分割領域毎の照明輝度を表す。図９、および図１０に示した照明装置１１００における照明ブロック１１１１は、１次元方向にしか領域分割できないため、列、または行に１つの照明輝度が決定される。図９、および図１０に示した照明装置１１００における下層の照明ブロック１１１１は、行毎の輝度特徴量に基づいて行毎の照明輝度を決定する。図９、および図１０に示した照明装置１１００における上層の照明ブロック１１１１は、列毎の輝度特徴量に基づいて列毎の照明輝度を決定する。
【００８４】
ここで、図９、および図１０に示した照明装置１１００は２層構造であるので、図１１（ｂ）に示すように、２次元的な分割領域毎の照明輝度は、上層のブロック照明の照明輝度と下層のブロック照明の照明輝度との組み合わせによって決まる。図１１（ｂ）では、２次元的な分割領域毎の照明輝度を、当該分割領域が属する行の行毎の照明輝度と、属する列の列毎の照明輝度との平均値で表している。
【００８５】
以上のように、１次元方向にしか領域分割できないブロック照明（１次元ブロック照明）を２層構造にすることで、２次元的な局所照明輝度制御が可能となる。
【００８６】
なお、図１１では説明の簡単化のために、輝度特徴量と照明輝度との関係を、上層と下層のブロック照明の間で同一のものとしたが、これに限らない。実際には、下層のブロック照明の光は、上層のブロック照明を透過する分しか、バックライトモジュールの表層まで届かない。従って、下層のブロック照明は上層のブロック照明よりも高い輝度にて照明するように設計する。
【００８７】
（第２の実施例）
以下、本発明の第２の実施例に係る照明装置、およびその制御方法について説明する。
【００８８】
第１の実施例と同様に、本実施例の照明装置は、入力画像の明るさを示す代表輝度値に応じて、照明装置から出力される発光量を制御可能な照明装置である。より具体的には、照明装置は、入力画像が明るい場合には高い発光量で光を出力し、入力画像が暗い場合には低い発光量で光を出力する。
【００８９】
図１２は第２の実施例に係る照明装置２００の機能構成の一例を示すブロック図である。なお、説明の重複を避けるため、第１の実施例と同名の機能ブロックは、動作説明を省略する。
【００９０】
照明装置２００は、照明ユニット２１０と照明制御基板２２０とを備える。照明ユニット２１０は、複数の照明ブロック２１１を備える。照明ユニット２１０および照明ブロック２１１の構成は、第１の実施例と同様である。照明制御基板２２０は、第１の実施例と同名の機能ブロックに加えて、光量積算部２２８を具備する。
【００９１】
混合比率決定部２２５は、照明ブロック２１１のＬＥＤの駆動電流値が所定の電流値よりも大きい場合、もしくは、照明ブロック２１１の照明光量の時間的積算値が大きい場合に、紫外ＬＥＤの発光比率が大きくなるように各ＬＥＤの発光比率を決定する。混合比率決定部２２５は、光量積算部２２８が算出した分割領域毎の照明光量の時間的積算値と、電流決定部２２４が出力する各照明ブロック２１１のＬＥＤの駆動電流値に応じて、対応する照明ブロック２１１の各ＬＥＤの発光比率を算出する。
【００９２】
光量積算部２２８は、照明ブロック２１１毎に、目標発光量の所定期間内の積算値を算出する。より具体的には、現在から起算した過去の所定期間内における、照明ブロック２１１毎の目標発光量の積算値を算出し、混合比率決定部２２５に出力する。
【００９３】
本実施例において、光量積算部２２８が算出した照明ブロック２１１毎の目標発光量の時間的積算値に応じて、混合比率決定部２２５が青色ＬＥＤ２１２と紫外ＬＥＤ２１３との発光比率を算出する方法をより具体的に説明する。
【００９４】
時間的に連続し、また変化する複数のフレーム画像から成る動画像の輝度特徴量に応じて、本実施例の照明装置の目標発光量を制御する場合を考える。
【００９５】
光量積算部２２８は、照明ブロック２１１毎に、目標発光量が所定値以上となるフレームのフレーム数（高輝度フレーム数）を、所定期間にわたって計数する。また、光量積算部２２８は、照明ブロック２１１毎に、目標発光量が所定値以下となるフレームのフレーム数（低輝度フレーム数）を、所定期間にわたって計数する。所定期間は現在から起算した過去の所定期間である。
【００９６】
混合比率決定部２２５は、高輝度フレーム数が所定値以上である照明ブロック２１１が備える各ＬＥＤが高温であると判断する。また、高輝度フレーム数が所定値以上となった後、低輝度フレーム数が所定値以上となるまでの間、当該照明ブロック２１１が備える各ＬＥＤは、高温であると判断する。即ち、当該照明ブロック２１１が備える青色ＬＥＤ２１２の発光スペクトルがシフトし、当該照明ブロック２１１から出力される白色光の色温度がずれるおそれがあるものと判断する。混合比率決定部２２５は、当該高温であると判断された照明ブロック２１１について、紫外ＬＥＤ２１３の発光比率が大きくなるように、発光比率を決定する。
【００９７】
一方で、混合比率決定部２２５は、高輝度フレーム数が所定値以上となった後に、低輝度フレーム数が所定値以上となった場合、当該照明ブロック２１１は、高温でないと判断する。換言すると、高温であると判断された照明ブロック２１１は、低輝度フレーム数が所定値以上となることで、冷却されたものと判断する。即ち、当該照明ブロック２１１が備える青色ＬＥＤ２１２の発光スペクトルのシフトが小さいと判断する。この場合、混合比率決定部２２５は、高温でないと判断した照明ブロック２１１について、青色ＬＥＤの発光比率が大きくなるように、発光比率を決定する。
【００９８】
本実施例によれば、第１の実施例と同様に、照明装置から出力される光の色温度の変化を抑制することができる。また、紫外ＬＥＤの寿命を延ばしつつ、紫外線の放射量を抑制できる。
【００９９】
また、本実施例によれば、低輝度照明時に生じる色温度のずれも抑止できる。ＬＥＤの温度上昇によって、青色ＬＥＤの発光スペクトルがシフトする場合、照明輝度が低くなって流れる電流が小さくなっても、温度は急には下がらない。つまり、低輝度照明時であっても、ＬＥＤの温度が下がるまでは色温度がずれる虞がある。また、逆に、高輝度照明期間が短い期間であれば、温度上昇しない場合も考えられる。
【０１００】
本実施例では、照明光量の時間的積算値に応じて発光比率を制御するので、高輝度照明期間が長く、ＬＥＤの温度が高い場合であれば、現在の照明輝度が低輝度であっても紫外ＬＥＤの発光比率を大きくして、色温度ずれを防止する。
【０１０１】
なお、本実施例では、照明光量の時間的積算値を元に、ＬＥＤの温度を予測するが、温度センサを設けて、ＬＥＤの温度を取得してもよい。
【０１０２】
（第３の実施例）
以下、本発明の第３の実施例に係る照明装置、およびその制御方法について説明する。
【０１０３】
第１の実施例と同様に、本実施例の照明装置は、入力画像の明るさを示す代表輝度値に応じて、照明装置から出力される発光量を制御可能な照明装置である。より具体的には、照明装置は、入力画像が明るい場合には高い発光量で光を出力し、入力画像が暗い場合には低い発光量で光を出力する。
【０１０４】
また、本実施例の照明装置は、量子ドットを励起させるＬＥＤ光源の温度変化に起因する、量子ドットフィルムの温度変化が小さいものとする。即ち、ＬＥＤ光源の温度変化による量子ドット光源の発光特性の変化は、無視できるものとする。より具体的には、発光時に内部から熱を発するＬＥＤ光源から十分離した位置に量子ドットフィルムを配する構造とする。
【０１０５】
図１３は第３の実施例に係る照明装置３００の機能構成の一例を示すブロック図である。なお、説明の重複を避けるため、第１の実施例と同名の機能ブロックの動作の説明を省略する。
【０１０６】
照明装置３００は、照明ユニット３１０と照明制御基板３２０とを備える。照明ユニット３１０は、複数の照明ブロック３１１を備える。照明ユニット３１０および照明ブロック３１１の構成は、第１の実施例と同様である。照明制御基板３２０は、第１の実施例と同名の機能ブロックに加えて、面積算出部３２９を具備する。
【０１０７】
面積算出部３２９は、照明ブロック３１１のうち、所定の値以上の目標発光量が設定された照明ブロック３１１の数が所定の数以上であるか否かを算出する。言い換えると、面積算出部３２９は、所定の値以上の目標発光量が設定された照明ブロック３１１が光を出力する高輝度照明領域の面積が所定の値よりも大きいか否かを判定する。
【０１０８】
面積算出部３２９は、電流決定部３２４から各照明ブロック３１１に設定された駆動電流を取得し、高輝度用の電流値が設定された照明ブロック３１１の数を計測して、高輝度照明領域の面積を取得する。なお、面積算出部３２９は、各照明ブロック３１１に設定された目標発光値を取得して、高輝度照明領域の面積を取得することも可能である。
【０１０９】
混合比率決定部３２５は、面積算出部３２９の判定結果と、電流決定部３２４が出力する分割領域毎のＬＥＤの駆動電流値に応じて、青色ＬＥＤ３１２と紫外ＬＥＤ３１３の発光比率を算出する。混合比率決定部３２５は、高輝度照明領域の面積が所定の面積よりも小さいと判定した場合に、紫外ＬＥＤ３１３の発光比率が大きくなるように、各照明ブロック３１１の発光比率を決定する。また、混合比率決定部３２５は、高輝度照明領域の面積が所定の値よりも大きいと判定された場合に、青色ＬＥＤ３１２の発光比率が大きくなるように、発光比率を決定する。
【０１１０】
本実施例によれば、第１の実施例と同様に、高輝度照明時に生ずる色温度のずれを防止し、照明輝度に関わらず、所望の色温度の白色光で照明することができる。また、紫外ＬＥＤの寿命を延ばしつつ、紫外線の放射量を抑制できる。
【０１１１】
また、本実施例によれば、色温度のずれが目立ちやすい入力画像の場合に色温度のずれを防止し、色温度のずれが目立ちにくい入力画像の場合には紫外線の放射量を抑制できる。
【０１１２】
高輝度照明領域の面積が小さい場合、色温度のずれがムラとして視認されるために、色温度のずれが目立ってしまう。一方、大面積の色温度がずれている場合には、色温度のずれが目立ちにくい。
【０１１３】
一方で、大面積が高輝度である場合に、分割領域の多くが紫外ＬＥＤの発光比率を大きくしてしまうと、紫外線の放射総量が大きくなってしまう。
【０１１４】
本実施例では、高輝度照明領域の面積が小さい場合は紫外ＬＥＤの発光比率を大きくするので、色温度のムラを防止することができる。一方で、高輝度照明領域の面積が大きい場合は紫外ＬＥＤの発光比率を小さくするので、紫外線の放射総量を抑制することができる。
【０１１５】
（第４の実施例）
図１４は、第４の実施例に係る表示装置４の機能構成の一例を示す機能ブロック図である。表示装置４は、液晶パネル１０、表示制御基板２０、メモリ３０、および照明装置４００を備える。液晶パネル１０は、第１の実施例と同様の機能を発揮する表示パネルである。表示制御基板２０は、入力画像に基づいて、液晶パネル１０の各液晶素子の透過率を制御する制御基板である。
【０１１６】
表示制御基板２０は、入力部２１、画像補正部２２、および表示制御部２３を備える。表示制御基板２０の各機能ブロックの処理については、後述する。表示制御基板２０には、ＣＰＵ等の演算処理装置が設けられており、メモリ３０から読み出したプログラムを実行することによって、表示制御基板２０の各機能ブロックの処理が実行される。また、表示制御基板２０の各機能ブロックは、表示制御基板２０に設けられた電子回路によって実行されてもよい。
【０１１７】
照明装置４００は、照明ユニット４１０と、照明制御基板４２０とを備える。照明ユニット４１０は、第１の実施例と同様に複数の照明ブロック４１１を２次元上に配置したバックライトモジュールである。各照明ブロック４１１は、青色ＬＥＤ４１２、紫外ＬＥＤ４１３、量子ドットフィルム４１４、および反射部材４１５を備える。
【０１１８】
第４の実施例において、照明ブロック４１１の備える各構成要素の機能は、量子ドットフィルム４１４以外は、第１の実施例の同名の構成要素と同様である。
【０１１９】
量子ドットフィルム４１４は、青色ＬＥＤ４１２から青色の光を照射された場合に出力される白色光の色温度と、紫外ＬＥＤ４１３から紫外光を照射された場合に出力される白色光の色温度が異なる。青色ＬＥＤ４１２からのみ光を照射された場合に、量子ドットフィルム４１４から出力される光の色温度は、Ｔｂである。色温度Ｔｂの光におけるＲＧＢ各成分の発光量の比は、Ｒ：Ｇ：Ｂ＝１．０：１．０：１．０である。紫外ＬＥＤ４１３からのみ光を照射された場合に、量子ドットフィルム４１４から出力される光の色温度は、Ｔｕである。色温度Ｔｕの光におけるＲＧＢ各成分の発光量の比は、Ｒ：Ｇ：Ｂ＝１．０：１．０：１．２である。
【０１２０】
つまり、紫外光を励起光とした場合に量子ドットフィルム４１４から出力される光は、青色の光を励起光とした場合に量子ドットフィルム４１４から出力される光に対して、青色の光の成分が強い。
【０１２１】
照明制御基板４２０が備える機能ブロックのうち、混合比率決定部４２５以外の機能ブロックは、第１の実施例と同名の機能ブロックの動作と同様の処理を行うものである。
混合比率決定部４２５は、電流決定部４２４が決定した各照明ブロック４１１の駆動電流に基づいて、対応する照明ブロック４１１が備える青色ＬＥＤ４１２と紫外ＬＥＤ４１３との発光比率を決定する。さらに、混合比率決定部４２５は、各照明ブロック４１１が備える青色ＬＥＤ４１２と紫外ＬＥＤ４１３との発光比率を、制御値算出部４２６と、表示制御基板２０の画像補正部２２とに出力する。第４の実施例において、発光比率は、青色ＬＥＤ４１２と紫外ＬＥＤ４１３とから出力される光の発光量の総和に対する、それぞれのＬＥＤから出力される光の発光量の比である。
【０１２２】
以下、表示制御基板２０の各機能ブロックについて説明する。入力部２１は、入力画像を取得する入力インターフェースである。入力部２１は、入力された画像を、画像補正部２２に出力する。入力画像は、マトリクス状に配置された各画素に対して、それぞれ階調値を指定したデータである。
【０１２３】
画像補正部２２は、混合比率決定部４２５から取得した各照明ブロック４１１の発光比率に応じて、対応する液晶パネル１０に表示される入力画像を補正した表示画像データを出力する。
【０１２４】
画像補正部２２は、各照明ブロック４１１の発光比率と、出力される光の色温度との関係に基づいて、所定の色温度Ｔｇで画像が表示されるように、対応する液晶パネル１０の領域に表示される入力画像を補正して、表示画像データを出力する。画像補正部２２は、入力画像のＲＧＢの各画素値に対して色毎のゲインを乗じることで、画像データを補正する。
【０１２５】
第４の実施例では、所定の色温度Ｔｇは、青色ＬＥＤ４１２の発光比率を１００％（紫外ＬＥＤ４１３は０％）とした場合に量子ドットフィルム４１４から出力される光の色温度Ｔｂと同等であるとする。したがって、所定の色温度Ｔｇにおける光のＲＧＢ各成分の発光量の比は、Ｒ：Ｇ：Ｂ＝１．０：１．０：１．０である。なお、所定の色温度Ｔｇは、ユーザが任意に設定することも可能である。
【０１２６】
混合比率決定部４２５が紫外ＬＥＤ４１３の発光比率を１００％と決定した照明ブロック４１１に対応する液晶パネル１０に表示される入力画像の補正方法について、以下に示す。
【０１２７】
ある照明ブロック４１１の紫外ＬＥＤ４１３の発光比率が１００％であった場合、量子ドットフィルム４１４から出力される光の色温度は、前述の通りＴｕである。このとき、ＲＧＢ各成分の発光量の比が、Ｒ：Ｇ：Ｂ＝１．０：１．０：１．２であることから、画像補正部２２は、ＲＧＢ各成分に対する補正ゲインを、Ｒ：Ｇ：Ｂ＝１．０：１．０：０．８３と決定する。
【０１２８】
画像補正部２２は、決定した補正ゲインを入力画像の画素値に乗算して、表示画像データを生成し、表示制御部２３に出力する。画像補正部２２は、上述の照明ブロック４１１に対応する入力画像の各画素値に対して、補正ゲイン（Ｒ：Ｇ：Ｂ＝１．０：１．０：０．８３）を乗算する。つまり、入力画像のうち、青色に対応する画素値が０．８３倍に補正される。例えば、入力画像の画素値が（Ｒ，Ｇ，Ｂ）＝（２５５，２５５，２５５）である場合、補正後の表示画像データの画素値は、（Ｒ，Ｇ，Ｂ）＝（２５５，２５５，２１２）となる。
【０１２９】
表示制御部２３は、表示画像データの各画素値に基づいて、液晶パネル１０の各液晶素子の透過率を制御する。上述した混合比率決定部４２５が紫外ＬＥＤ４１３の発光比率を１００％と決定した照明ブロック４１１に対応する液晶パネル１０において、青色の画素値は、入力画像に対して０．８３倍に補正される。したがって、青色の画素に対応する液晶素子の透過率は、入力画像に基づいて制御した場合よりも小さくなる。
一方で、照明ブロック４１１から出力される光の青色の成分が、他の色よりも大きい。液晶パネル１０の前面側に透過する光の量は、照明ブロック４１１から出力される光の発光量と液晶パネル１０の透過率とを乗算した値によって、決定される。言い換えると、液晶パネル１０の前面側に透過する光の色温度は、照明ブロック４１１から出力される光の色温度と、補正後の表示画像データとの乗算によって決定される。補正後の表示画像データは、入力画像に対して、補正ゲインを乗算した値であることから、液晶パネル１０の前面側に透過する光の色温度は、照明ブロック４１１から出力される光の色温度と、補正ゲインとの乗算によって決定される。
【０１３０】
紫外ＬＥＤ４１３の発光比率が１００％である照明ブロック４１１に対応する液晶パネル１０において視認される色温度は、（照明ブロック４１１から出力される光の色温度＝１．０：１．０：１．２）×（補正ゲイン＝１．０：１．０：０．８３）となる。したがって、液晶パネル１０に表示される表示輝度は、所定の色温度Ｔｇ（Ｒ：Ｇ：Ｂ＝１．０：１．０：１．０）に制御される。
【０１３１】
なお、上記の説明では、紫外ＬＥＤ４１３の発光比率が１００％である場合を例示したが、０〜１００％の間の任意の発光比率について、発光比率とそれぞれの発光比率における色温度との関係を示すデータに基づいて、同様の処理を行うことができる。
本実施例によれば、前記照明装置において、青色ＬＥＤ単体で励起させる場合と、紫外ＬＥＤ単体で励起させる場合とで、照明光の色温度が異なっていたとしても、第１の実施例と同様の効果を得ることができる。
【０１３２】
即ち、第１の実施例と同様に、高輝度照明時に生ずる色温度のずれを防止し、照明輝度に関わらず、所望の色温度の白色光で照明することができる。また、紫外ＬＥＤの寿命を延ばしつつ、紫外線の放射量を抑制できる。
【０１３３】
（その他の実施例）
上述の実施例では、照明装置は、赤色の光、緑色の光、および青色の光を出力することによって白色光を出力する表示装置に用いられるバックライトであったが、本発明における照明装置はこれに限られない。例えば、屋内を照明する照明器具や、懐中電灯等であってもよい。また、照明装置は、白色光に限らず、例えば、青色の光と、赤色の光とが混合してマゼンタの色の光を出力するものであってもよい。
【符号の説明】
【０１３４】
１００  照明装置
１１２  青色ＬＥＤ
１１３  紫外ＬＥＤ
１１４  量子ドットフィルム
１２０  照明制御基板
【図１】
2017139073.tif 000003
【図２】
2017139073.tif 000004
【図３】
2017139073.tif 000005
【図４】
2017139073.tif 000006
【図５】
2017139073.tif 000007
【図６】
2017139073.tif 000008
【図７】
2017139073.tif 000009
【図８】
2017139073.tif 000010
【図９】
2017139073.tif 000011
【図１０】
2017139073.tif 000012
【図１１】
2017139073.tif 000013
【図１２】
2017139073.tif 000014
【図１３】
2017139073.tif 000015
【図１４】
2017139073.tif 000016